(57)【要約】【課題】装置の操作に必要な部分だけでなく外部も必要に応じて照らすことができる携帯型情報処理装置を得ること。【解決手段】携帯型情報処理装置４００は、各種操作キー４０１と機能キー４０２を備えた第１の筐体４０３と、表示部４０４を備えた第２の筐体４０５とをヒンジ部４０６によって開閉自在に連結している。ヒンジ部４０６には可動筒４１１が設けられて回動自在となっている。一対のキャップ４１４、４１５を中央方向に押すと、図示しないタッチセンサがこれを検知して可動筒４１１内の高輝度発光ダイオードを駆動し開口部４１２から光が出力される。可動筒４１１を回転させることで各種操作キー４０１等の操作に必要な部分を照明したり、装置外を懐中電灯のように照明することもできる。【選択図】  図５
2004220113.tif 000002
【特許請求の範囲】
【請求項１】
比較的輝度の高い発光が可能な発光ダイオードと、
この発光ダイオードの出力光を収束させる光学系と、
前記発光ダイオードおよび光学系を組み込むと共に所定の情報処理を行う装置本体
とを具備することを特徴とする携帯型情報処理装置。
【請求項２】
前記装置本体は２つの筐体をヒンジ機構で連結しており、このヒンジ機構に前記発光ダイオードが組み込まれていることを特徴とする請求項１記載の携帯型情報処理装置。
【請求項３】
前記装置本体には画像を撮影するカメラが取り付けられており、このカメラの被写体を照射する位置に前記発光ダイオードが配置されていることを特徴とする請求項１記載の携帯型情報処理装置。
【請求項４】
前記発光ダイオードは前記２つの筐体を開いた状態でこの開いた筐体の少なくとも一方を照明する方向に光を照射し、閉じた状態で装置外の所定の方向に光を照射するように照射方向が固定されていることを特徴とする請求項２記載の携帯型情報処理装置。
【請求項５】
前記発光ダイオードを駆動する駆動回路は、前記装置本体の表面部分を照射する際は装置外の所定の方向に光を照射する際よりも電力消費量を抑える電力制御手段を具備することを特徴とする請求項４記載の携帯型情報処理装置。
【請求項６】
前記２つの筐体が前記ヒンジ機構によって最大に開く角度よりも大きな角度で、前記発光ダイオードは前記ヒンジ機構の回転軸に対して回動自在に保持されていることを特徴とする請求項２記載の携帯型情報処理装置。
【発明の詳細な説明】
【０００１】
【発明の属する技術分野】
本発明は携帯型情報処理装置に係わり、たとえば折り畳み式の携帯電話機のようにヒンジ機構を用いて装置を折り畳んだり開いたりして使用することのできる携帯型情報処理装置に関する。
【０００２】
【従来の技術】
携帯電話機やＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）あるいは小型のパーソナルコンピュータといった携帯可能な情報処理装置が広く使用されている。このような携帯型情報処理装置の多くは、取り扱う情報の高度化に伴ってそのディスプレイ（表示部）や操作パネルあるいはキーボードに多くのスペースをとられるようになっている。そのため、表示あるいは操作のためのスペースを確保するためにヒンジ機構を用いて折り畳み可能とした装置が多く使用されている。このような折り畳み型の携帯型情報処理装置では、ヒンジ機構を開いた状態で使用し、それ以外の場合には装置を閉じ合わせてコンパクトな形状として携帯に便利なようにするのが通常である。
【０００３】
ところで携帯型情報処理装置は文字通り持ち歩くことを前提とした装置なので、机の上に配置されたパーソナルコンピュータと異なり各種の照明環境で使用されることになる。たとえば携帯型電話機を例にとると、夜間の比較的暗い屋外でダイヤル操作を行わなければならないといった場合も多い。そこで、携帯型電話機の操作ボタンの内部に発光ダイオード（ＬＥＤ）を組み込んで、これらのボタン類を発光させて暗いところでもそれぞれのキーを照明することで、キーに刻印した文字や記号を識別できるようにする工夫が一般に行われている。
【０００４】
しかしながら、このように操作ボタンの内部に発光ダイオードを組み込むようにした携帯型情報処理装置では、操作ボタンの文字等を刻印した部分の材質が光を透過する必要がある。したがって、装飾のために光を通さない物質でこの部分を覆った操作ボタンあるいは光を透過しない材質で作製した操作ボタンを使用した携帯型情報処理装置の場合には、ボタン表面の文字や記号を暗い所で判読することができない。
【０００５】
そこで、このヒンジ機構の一部に照明装置を組み込んだ携帯型情報処理装置が従来から提案されている（たとえば特許文献１参照）。
【０００６】
図１１は、この特許文献１に記載された携帯型情報処理装置の要部としてのヒンジ機構の周囲を表わしたものである。この携帯型情報処理装置１００は、キーボード部１０１を図で上部に配置した第１の筐体１０２と、表示部１０３を図で左側の面に組み込んだ第２の筐体１０４とをヒンジ部１０５によって開閉自在に連結した構造となっている。ヒンジ部１０５の内部には発光素子１０６が組み込まれている。また、表示部１０３方向を向いた第１のレンズ部分１０７とキーボード部１０１方向を向いた第２のレンズ部分１０８を備えたレンズ１０９がヒンジ部１０５に取り付けられている。
【０００７】
この携帯型情報処理装置では、発光素子１０６が点灯することで第１のレンズ部分１０７が反射型あるいはバックライトが設けられていないタイプの表示部１０３を照射し、第２のレンズ部分１０８がキーボード部１０１を照射するようになっている。
【０００８】
図１２はこの携帯型情報処理装置の発光素子が点灯した状態を表わしたものである。第１のレンズ部分１０７を通過した光１１１によって表示部１０３が照射され、第２のレンズ部分１０８を通過した光１１２によってキーボード部１０１が照射される。これにより、比較的暗い場所でも表示部１０３の表示内容を確認したりキーボード部１０１を用いて情報の入力操作を行うことができる。
【０００９】
【特許文献１】
特開２００１−２０９４５６号公報（第００２３段落、第００２４段落、図２、図３）
【００１０】
【発明が解決しようとする課題】
この従来の携帯型情報処理装置では、発光素子１０６から出力される比較的弱い光を第１のレンズ部分１０７あるいは第２のレンズ部分１０８を用いることで、キーボード部１０１と表示部１０３に範囲を限定して効果的に照明するようにしている。このように発光素子１０６の照明する範囲は限られており、その照度もそれほど高いものではない。このため、災害時や夜間には携帯型情報処理装置を他の照明に利用することはできず、懐中電灯を別に携行する必要があった。しかしながら、携帯型情報処理装置の多くは迅速な対応を行うために直接手に持って移動する場合が多い。このため、懐中電灯を携帯型情報処理装置と一緒に持ち歩くことは不便であり、一方を現場等に置き忘れて紛失してしまうといった危険性も高かった。
【００１１】
そこで本発明の目的は、装置の操作に必要な部分だけでなく外部も必要に応じて照らすことができる携帯型情報処理装置を提供することにある。
【００１２】
【課題を解決するための手段】
請求項１記載の発明では、（イ）比較的輝度の高い発光が可能な発光ダイオードと、（ロ）この発光ダイオードの出力光を収束させる光学系と、（ハ）発光ダイオードおよび光学系を組み込むと共に所定の情報処理を行う装置本体とを携帯型情報処理装置に具備させる。
【００１３】
すなわち請求項１記載の発明では、比較的輝度の高い発光が可能な発光ダイオードとその光を収束させるための光学系とを、所定の情報処理を行う装置本体に組み込んで用いることにしている。発光ダイオードを比較的輝度の高い発光状態にさせることで、装置の操作に必要な部分だけでなく外部も必要に応じて照明することが可能になる。すなわち、携帯型情報処理装置を携行すれば、本来の情報処理を行うことができるだけでなく、必要な場合には携帯型情報処理装置を懐中電灯のように外部の照明用に使用することができ、懐中電灯を別に持ち歩く必要がない。
【００１４】
請求項２記載の発明では、請求項１記載の携帯型情報処理装置で、装置本体は２つの筐体をヒンジ機構で連結しており、このヒンジ機構に発光ダイオードが組み込まれていることを特徴としている。
【００１５】
すなわち請求項２記載の発明では、ヒンジ機構に発光ダイオードを組み込むことにしたので、携帯型情報処理装置のディスプレイやキーボード等の操作部を照明できる。また、ヒンジ機構はその一部が常に外部に露出しているので、ヒンジ機構に発光ダイオードが組み込まれていれば、外部に光を照射することが可能である。更にヒンジ機構の空洞部分を発光ダイオードの収納に利用することで携帯型情報処理装置の小型化を図ることができる。
【００１６】
請求項３記載の発明では、請求項１記載の携帯型情報処理装置で、装置本体には画像を撮影するカメラが取り付けられており、このカメラの被写体を照射する位置に発光ダイオードが配置されていることを特徴としている。
【００１７】
すなわち請求項３記載の発明では、カメラの被写体を照射する位置に発光ダイオードを使用することで、この発光ダイオードを静止画および動画の照明用としても用いることができる。発光ダイオードは明るさの割に消費電力が大変小さいので、電池駆動の携帯型情報処理装置の簡易照明として手軽に使用することができる。
【００１８】
請求項４記載の発明では、請求項２記載の携帯型情報処理装置で、発光ダイオードは２つの筐体を開いた状態でこの開いた筐体の少なくとも一方を照明する方向に光を照射し、閉じた状態で装置外の所定の方向に光を照射するように照射方向が固定されていることを特徴としている。
【００１９】
すなわち請求項４記載の発明では、ヒンジ機構に組み込まれた発光ダイオードから出力される光が一方の筐体に対してある回転角度（照明する方向）に固定されている場合を扱っている。他方の筐体がヒンジ機構によって開いたときに、その開いた回転角度（照明する方向）よりも光の方向を示す角度が小さければ、これらの筐体の少なくとも一方を照明するのに使用できることになる。また、２つの筐体を折り畳んだ（閉じた）状態で発光ダイオードの光の出口が装置から露出するようになっていれば、装置外の所定の方向に光が照射できることになる。
【００２０】
請求項５記載の発明では、請求項４記載の携帯型情報処理装置で、発光ダイオードを駆動する駆動回路は、装置本体の表面部分を照射する際は装置外の所定の方向に光を照射する際よりも電力消費量を抑える電力制御手段を具備することを特徴としている。
【００２１】
すなわち請求項５記載の発明では、発光ダイオードに比較的高輝度で発光できるものを使用した場合、外部の照明に適する明るさで発光させてキーやディスプレイ等の装置本体の表面部分を照射すると、眩しいという現象が生じる可能性がある。そこでどの部分を照明するかによって電力消費量を切り替えるようにしている。これにより、照明を行う際の全体的な消費電力に無駄を生じさせないという利点も生じる。
【００２２】
請求項６記載の発明では、請求項２記載の携帯型情報処理装置で、２つの筐体がヒンジ機構によって最大に開く角度よりも大きな角度で、発光ダイオードはヒンジ機構の回転軸に対して回動自在に保持されていることを特徴としている。
【００２３】
すなわち請求項６記載の発明では、請求項４記載の発明と異なり発光ダイオードがヒンジ機構の回転軸に対して回動自在に保持されている場合を扱っている。請求項６記載の発明のように２つの筐体がヒンジ機構によって最大に開く角度よりも大きな角度で回転できるようにした場合には、２つの筐体が最大限開いた状態でも発光ダイオードを外部の照明用に使用することができる。２つの筐体が折り畳まれた（閉じた）状態で外部を照明するのであれば、発光ダイオードの回転角をこれよりも小さく設定することができることは当然である。
【００２４】
【発明の実施の形態】
【００２５】
【実施例】
以下実施例につき本発明を詳細に説明する。
【００２６】
＜第１の実施例＞
【００２７】
図１は本発明の第１の実施例における携帯型情報処理装置の概観を示したものである。この携帯型情報処理装置２００は、装置本体２０１の上部に静止画あるいは動画を撮影するためのカメラ２０２が取り付けられており、その位置から横方向にわずかに距離を置いた位置に１個または複数個の高輝度発光ダイオード２０３と凸レンズ２０４を組み合わせた発光部２０５が配置されている。装置本体２０１のアンテナ収容部２０６のすぐ下には、高輝度発光ダイオード２０３を手動で点灯させるためのスイッチ２０７が配置されている。また、装置本体２０１の側部には図で上下に移動自在に配置されたロックスイッチ２０８が配置されている。なお、高輝度発光ダイオード２０３は光を収束させるための凸レンズ２０４と一体となったものであってもよい。
【００２８】
この携帯型情報処理装置２００では、ロックスイッチ２０８を所定のロック位置に保持しておくと、スイッチ２０７を押しても高輝度発光ダイオード２０３が点灯せず、またカメラ２０２で被写体を撮影する際にも高輝度発光ダイオード２０３は発光しないようになっている。
【００２９】
一方、このロックスイッチ２０８を所定の解除の位置に移動させておくと、スイッチ２０７を押している間、高輝度発光ダイオード２０３は発光し、凸レンズ２０４で集光した光をその前方に照射するようになっている。また、この解除の状態でカメラ２０２で被写体を撮影すると、動画を撮影する間はその時間中、高輝度発光ダイオード２０３が連続して発光する。静止画を撮影する場合には内蔵の回路と同期をとることでストロボと同様に撮影する瞬間だけ発光させる一方、露光の調整を行ったり撮影範囲を確認する間、スイッチ２０７を押すことで適宜、高輝度発光ダイオード２０３を発光させることができる。
【００３０】
ところで高輝度発光ダイオード２０３は電気エネルギを９０パーセント以上光に変換する特性を持っており、白熱電球やハロゲンランプの３倍〜６倍以上の高い変換効率を持っている。高輝度発光ダイオード１個の照度は５０００〜６０００ｍｃｄ（ミリカンデラ）とかなり大きく、しかも電球と異なり前方に集中して光を出力することができるので効率的である。このため、高輝度発光ダイオードをわずか数個使用したヘッドライトが夜間の登山用等に実用化されており、単４電池で１０時間から１００時間以上の連続照射が可能である。高輝度発光ダイオードの寿命自体は１０万時間以上とされており、ランプの交換を必要としない。
【００３１】
したがって、第１の実施例の携帯型情報処理装置２００を携行しておけば、外出先等で暗くなったような場合に懐中電灯の代わりにこれを使用することができる。また、被写体が暗くて写りにくいような場合には、比較的近距離の場合にはこれを撮影用として照明することができる。高輝度発光ダイオードは各色のものが出回っている。特に白色に発光する高輝度発光ダイオードを使用すれば色の再現性に問題を生じさせない。更に、ストロボを発光源に使用する場合と異なり、連続発光が可能なので夜間における動物等の動画の撮影に十分使用することができる。
【００３２】
なお、第１の実施例では携帯型情報処理装置として折り畳み型の携帯型電話機あるいはＰＨＳ（Ｐｅｒｓｏｎａｌ  Ｈａｎｄｙ−ｐｈｏｎｅ  Ｓｙｓｔｅｍ）を使用したが、折り畳むことのできない携帯型情報処理装置に対しても本発明を適用することができるのは当然である。また、この実施例では不用意な発光による内蔵電池の消耗を防止するためにロックスイッチ２０８を装置本体２０１の側部に配置したが、通常の操作キーを操作することでソフトウェアでロックを行ったりロックの解除を行うようにしてもよい。
【００３３】
＜第２の実施例＞
【００３４】
図２は本発明の第２の実施例における携帯型情報処理装置の開いた状態におけるヒンジ機構の周囲を表わしたものである。この携帯型情報処理装置３００は、図１１に示した携帯型情報処理装置１００と対応するもので、キーボード部３０１を図で上部に配置した第１の筐体３０２と、表示部３０３を図で左側の面に組み込んだ第２の筐体３０４とをヒンジ部３０５によって開閉自在に連結した構造となっている。ヒンジ部３０５の内部には高輝度発光ダイオード３０６が組み込まれている。また、表示部３０３方向を向いた第１のレンズ部分３０７とキーボード部３０１方向を向いた第２のレンズ部分３０８を備えたレンズ３０９がヒンジ部３０５内に固定されている。
【００３５】
この図２は携帯型情報処理装置３００が開いた状態を表わしている。図示しないユーザは高輝度発光ダイオード３０６を低照度で発光させ、第１のレンズ部分３０７から出た第１の光３１１で反射型の表示部３０３を照射してその視認性を向上させる。また、第２のレンズ部分３０８から出た第２の光３１２はキーボード部３０１を照射し、図示しない各キーを照明することでこれらのキー自体を発光させることなくキー操作を可能とする。加飾によって照光しないキーボタンであっても、この第２の実施例の場合には表面に刻印された文字や記号を鮮明に読み取ることが可能になる。
【００３６】
図３は、この第２の実施例の携帯型情報処理装置を折り畳んだ状態を示したものである。携帯型情報処理装置３００の第１の筐体３０２と第２の筐体３０４をヒンジ部３０５を用いてこの図のように閉じ合わせると、ヒンジ部３０５の一部の切り欠き部分に組み込まれた形の第１のレンズ部分３０７が外部に露出する。これにより、この状態で高輝度発光ダイオード３０６を発光させると、第１の光３１１は表示部３０３を照射することなく外部に出力される。したがって、高輝度発光ダイオード３０６を高輝度状態で発光させることにより、懐中電灯のように外部を照明することができる。
【００３７】
図４は、この第２の実施例における高輝度発光ダイオードとその照度を調整する駆動回路の概要を示したものである。高輝度発光ダイオード３０６のカソード側は接地され、アノード側は第１の抵抗３２１と第２の抵抗３２２の共に一端を共通接続した共通接続点３２３と接続されている。第１の抵抗３２１の他端は他の接続点３２４で第１のスイッチ３２５と第２のスイッチ３２６のそれぞれ一端と接続されている。第１のスイッチ３２５の他端は所定のプラスの電源（＋Ｖ）に接続されており、第２のスイッチ３２６の他端は第２の抵抗３２２の他端と接続されている。
【００３８】
図２に示すように携帯型情報処理装置３００が開いた状態のとき第２のスイッチ３２６の接点が開いた状態となっている。また、図３に示すように携帯型情報処理装置３００が閉じた状態のときには第２のスイッチ３２６の接点が閉じた状態となっている。第１のスイッチ３２５は高輝度発光ダイオード３０６を発光させるときに接点を閉じ、それ以外のときには接点を開くスイッチである。駆動回路はこのような回路構成となっているので、図２に示した状態では第１の抵抗３２１のみを電流が流れて高輝度発光ダイオード３０６が発光する。これは第２のスイッチ３２６の接点が閉じて第１および第２の抵抗３２１、３２２の双方に電流が流れる場合よりも高抵抗であり、流れる電流が少ないので高輝度発光ダイオード３０６は比較的低照度で発光する。
【００３９】
これに対して図３に示した状態では第１および第２の抵抗３２１、３２２の合成によって抵抗値が低下するので高輝度発光ダイオード３０６には図２の状態に比べて多くの電流が流れることになる。したがって、携帯型情報処理装置３００を外部に対する照明として使用するとき高輝度発光ダイオード３０６は比較的高照度で発光することになる。これにより、携帯型情報処理装置３００を懐中電灯の代わりとして使用することができる。しかもユーザは携帯型情報処理装置３００を折り畳んで持ち歩いている状態で、高輝度発光ダイオード３０６の位置をなんら変えることなく懐中電灯の代わりとすることができることになる。
【００４０】
＜第３の実施例＞
【００４１】
図５は本発明の第３の実施例における携帯型情報処理装置を構成する２つの筐体が開いた状態を表わしたものである。この携帯型情報処理装置４００は、各種操作キー４０１と機能キー４０２を備えた第１の筐体４０３と、表示部４０４を備えた第２の筐体４０５とをヒンジ部４０６によって開閉自在に連結した構造となっている。ヒンジ部４０６は、その中央よりも図で右側に寄った部分が２７０度の範囲で回動する可動筒４１１を構成しており、一部が開口部４１２となっている。可動筒４１１はユーザが指で摘んで、上記した角度範囲で適宜回転させることができるようになっている。開口部４１２にはレンズ４１３が嵌め込まれている。また、ヒンジ部４０６の両端部には、軸方向の中央位置に向かって図示しないばね圧に抗して移動可能に配置されたキャップ４１４、４１５（ただしキャップ４１５はこの図では手前の部品に隠れている。）が配置されている。これら一対のキャップ４１４、４１５が軸方向の中央位置に向かって押されると、ヒンジ部４０６内部に配置されたこの図に示していない一対のタッチセンサの少なくとも一方がこれを検知する。これにより、同じくヒンジ部４０６内部に配置された図示しない高輝度発光ダイオードが駆動されて発光し、レンズ４１３を介して光が外部に出力されるようになっている。
【００４２】
図６はこの携帯型情報処理装置のヒンジ部の周辺を表わしたものであり、また図７は携帯型情報処理装置を折り畳んだ状態を表わしたものである。更に図８は折り畳んだ状態の携帯型情報処理装置をヒンジ部側から見たものである。図６で開口部４１２は操作キー４０１（図５参照）や機能キー４０２を照明するために第１の筐体４０３の折り畳まれる側の面の近傍に位置しているが、図８では可動筒４１１をほぼ半回転させることで外側に向くようになっている。これにより、図８の状態でキャップ４１４、４１５を互いの間隔を縮める方向に押すと、その間だけ開口部４１２から光が外部に射出されることになる。
【００４３】
図９は、可動筒の回転による光の照射方向の変動範囲を示したものである。可動筒４１１は、開口部（図５参照）４１２から出射される光を第１の筐体４０３とほぼ同一面となる方向を基準方向とすると、これから第２の筐体４０５の回転する方向に２７０度回転できるようになっている。したがって、図８に示したように携帯型情報処理装置４００が折り畳まれた状態にあるときだけでなく、図９に示したように第２の筐体４０５を第１の筐体４０３に対してほぼ１８０度開いた状態でも外部を照射することができ、懐中電灯の代わりを務めさせることができる。
【００４４】
図１０は、このような携帯型情報処理装置の分解された状態をヒンジ部を中心として表わしたものである。この第３の実施例の携帯型情報処理装置４００は、第１の筐体を構成する第１のフロントケース４０３Ｆおよび第１のリアカバー４０３Ｒと、第２の筐体を構成する第２のフロントケース４０５Ｆおよび第２のリアカバー４０５Ｒと、これらの筐体内に収容される第１の印刷配線基板４２１および第２の印刷配線基板４２２と、２種類の基板４２１、４２２を接続するフレキシブル基板４２３および第１および第２の筐体４０３、４０５を開閉するためのヒンジ部４０６とによって構成されている。
【００４５】
ここで、第１のフロントケース４０３Ｆにはヒンジユニットアッセイ用部材４３１、４３２と半ヒンジ部４３３がヒンジ部４０６を構成する部品として一体成型されている。第２のフロントケース４０５Ｆには、これらヒンジユニットアッセイ用部材４３１、４３２あるいは半ヒンジ部４３３と掛合するためのヒンジ筒４３４と半ヒンジ部４３５を備えたヒンジ筒４３０がヒンジ部４０６を構成する部品として一体成型されている。一対のヒンジユニットアッセイ用部材４３１、４３２は、それぞれ所定の内径を有する筒状の部材であって、これらの内径よりもわずかに小さな外径を一部に有するヒンジユニット４３６、４３７のこの小径部分をヒンジユニットアッセイ用部材４３１、４３２に圧入させている。ヒンジユニット４３６、４３７は筒状の部材で、内側を向いた小径部よりもわずかに大径となった大径部内に図示しないバネ部材を挿入している。そして、一方のヒンジユニット４３６の筒の内部には第１のタッチセンサ４３８が挿入され、キャップ４１５が更にその上を覆っている。
【００４６】
ヒンジユニット４３７の方は、図で左側の小径部分をヒンジユニットアッセイ用部材４３２に圧入し、図で右側の残りの外周部分にＬＥＤ付き基板４４１を挟み込んだ状態で可動筒４１１を回動自在に挿入している。ＬＥＤ付き基板４４１の高輝度発光ダイオード４４２は開口部４１２のレンズ４１３と対向する位置に保持されている。Ｌ字状をしたＬＥＤ付き基板４４１の他端部分は可動筒４１１の一部で外部に露出しており、この部分がフレキシブル基板４２３の図示しない電源ラインと摺接することで高輝度発光ダイオード４４２に駆動のための電流が供給されるようになっている。
【００４７】
ヒンジユニット４３７の内部にはヒンジユニット４３６と同様に図示しないバネ部材と第２のタッチセンサ４３９が挿入され、キャップ４１４が更にその上を覆う構造となっている。第１および第２のタッチセンサ４３８、４３９の検出出力を伝達するリード線は、ヒンジ部４０６を構成する各筒状部材の内部を通って第１または第２の印刷配線基板４２１、４２２の所定の回路部分に電気的に接続されている。したがって、キャップ４１４、４１５が押されることで第１および第２のタッチセンサ４３８、４３９が圧力を検出すると、高輝度発光ダイオード４４２が駆動されて発光が生じることになる。
【００４８】
なお、第１のリアカバー４０３Ｒと第２のリアカバー４０５Ｒにはそれぞれ半ヒンジ部４５１、４５２が設けられている。これら半ヒンジ部４５１、４５２は、前記した他の部品と共にヒンジ部４０６を構成している。
【００４９】
このような第３の実施例で第１および第２の２つのタッチセンサ４３８、４３９が設けられているのは、両者が共にオンとなるときに限って高輝度発光ダイオード４４２の駆動を行うこととして、携帯型情報処理装置４００をバッグの中に入れたような場合における誤動作による発光を防止するためである。したがって、このようなおそれがない場合には、第１および第２の２つのタッチセンサ４３８、４３９の一方を省略することができる。また、装置によっては第１および第２の２つのタッチセンサ４３８、４３９が押されたとき比較的高輝度で発光させるように制御し、一方のみが押されたときにはき比較的低輝度で発光させるように制御することも可能である。発光ダイオードが複数個備えられているときには、それぞれのタッチセンサ４３８、４３９に発光ダイオードを割り振っておき、発光する数を制御できるようにしてもよい。
【００５０】
【発明の効果】
以上説明したように請求項１記載の発明によれば、発光ダイオードを比較的輝度の高い発光状態にさせることで、装置の操作に必要な部分だけでなく外部も必要に応じて照明することが可能になる。このため携帯型情報処理装置を携行しておけば、停電になったり災害が発生したような場合でも携帯型情報処理装置を懐中電灯のように外部の照明用に使用することができる。
【００５１】
また請求項２記載の発明によれば、ヒンジ機構に発光ダイオードを組み込むことにしたので、携帯型情報処理装置のディスプレイやキーボード等の操作部を照明できるだけでなく外部に光を照射することが可能である。更にヒンジ機構の空洞部分を発光ダイオードの収納に利用することで発光ダイオードを複数個使用した場合でも携帯型情報処理装置の小型化を図ることができる。
【００５２】
更に請求項３記載の発明によれば、カメラの被写体を照射する位置に発光ダイオードが配置されているので、この発光ダイオードを静止画の照明だけでなく動画の照明用としても用いることができる。発光ダイオードは明るさの割に消費電力が大変少ないので、電池駆動の携帯型情報処理装置の簡易照明として手軽に使用することができる。
【００５３】
また請求項４記載の発明によれば、２つの筐体を開いた状態と閉じた状態で異なった目的の照明に使用することができるので、用途によって輝度を切り替えることも簡単に実現できる。
【００５４】
更に請求項５記載の発明によれば、発光ダイオードを駆動する駆動回路は、装置本体の表面部分を照射する際は装置外の所定の方向に光を照射する際よりも電力消費量を抑える電力制御手段を具備しているので、高輝度の発光ダイオードであっても適切な照度でキーボードや操作部を操作したりディスプレイを見ることができ、照明を行う際の全体的な消費電力に無駄を生じさせないという利点も生じる。
【００５５】
また請求項６記載の発明によれば、発光ダイオードはヒンジ機構の回転軸に対して回動自在に保持されているので、光の照射方向を簡単に調整することができ、装置の照明と外部の照明を適切な角度で行うことができる。
【図面の簡単な説明】
【図１】本発明の第１の実施例における携帯型情報処理装置の外観図である。
【図２】本発明の第２の実施例における携帯型情報処理装置の開いた状態におけるヒンジ機構の周囲を表わした端面図である。
【図３】第２の実施例における携帯型情報処理装置の折り畳んだ状態におけるヒンジ機構の周囲を表わした端面図である。
【図４】第２の実施例における高輝度発光ダイオードとその照度を調整する駆動回路の概要を示した回路図である。
【図５】本発明の第３の実施例における携帯型情報処理装置を構成する２つの筐体が開いた状態を表わした斜視図である。
【図６】第３の実施例で携帯型情報処理装置のヒンジ部の周辺を表わした平面図である。
【図７】第３の実施例で携帯型情報処理装置を折り畳んだ状態を表わした斜視図である。
【図８】第３の実施例で折り畳んだ状態の携帯型情報処理装置をヒンジ部側から見た側面図である。
【図９】第３の実施例で可動筒の回転による光の照射方向の変動範囲を示した説明図である。
【図１０】第３の実施例で携帯型情報処理装置の分解された状態をヒンジ部を中心として表わした分解斜視図である。
【図１１】特許文献１に記載された携帯型情報処理装置の要部としてのヒンジ機構の周囲を表わした端面図である。
【図１２】図１１に示した携帯型情報処理装置の発光素子が点灯した状態を表わした斜視図である。
【符号の説明】
２００、３００、４００  携帯型情報処理装置
２０３、３０６  高輝度発光ダイオード
２０５  発光部
２０７  スイッチ
３０１  キーボード部
３０２、４０３  第１の筐体
３０３、４０４  表示部
３０４、４０５  第２の筐体
３０５、４０６  ヒンジ部
３０７  第１のレンズ部分
３０８  第２のレンズ部分
３０９  レンズ
３２１  第１の抵抗
３２２  第２の抵抗
４０１  各種操作キー
４０２  機能キー
４１１  可動筒
４１２  開口部
４３８  第１のタッチセンサ
４３９  第２のタッチセンサ
【図１】
2004220113.tif 000003
【図２】
2004220113.tif 000004
【図３】
2004220113.tif 000005
【図４】
2004220113.tif 000006
【図５】
2004220113.tif 000007
【図６】
2004220113.tif 000008
【図７】
2004220113.tif 000009
【図８】
2004220113.tif 000010
【図９】
2004220113.tif 000011
【図１０】
2004220113.tif 000012
【図１１】
2004220113.tif 000013
【図１２】
2004220113.tif 000014